(57)【要約】      （修正有）【課題】優れた表示効果を実現するピクセル構造および表示方法、表示装置を提供する。【解決手段】ピクセル構造は、交互に配列された第１ピクセル単位１と第２ピクセル単位２を含むピクセル構造で、第１ピクセル単位は斜線状に配列された第１サブピクセル１１と第２サブピクセル１２を含み、第２ピクセル単位は斜線状に配列された第３サブピクセル２１と第４サブピクセル２２を含み、第１サブピクセルと第３サブピクセルは異なる基本色を備え、第２サブピクセルと第４サブピクセルは同一の基本色を備える。当該ピクセル構造は高解像度を実現し、サブピクセルの開口率を高め、製造工程を簡略化し、好ましい輝度レベルを得られ、製品の寿命を延ばし、表示過程において基本色の重み付け値を設定することによって、色の縁の誤差および色の不均等を回避することで優れた表示効果を実現する。【選択図】図２Ａ
2020197752.tif 000002
【特許請求の範囲】
【請求項１】
順に交互に配列され、かつ行方向および列方向において交互に配列された複数の第１ピクセル単位と複数の第２ピクセル単位とを含むピクセル構造であって、前記ピクセル構造の縁に位置する第１ピクセル単位および第２ピクセル単位のほか、各第１ピクセル単位は４つの第２ピクセル単位と隣り合い、各第２ピクセル単位は４つの第１ピクセル単位と隣り合い、前記第１ピクセル単位は前記行方向または前記列方向に対して斜線に配列された第１サブピクセルと第２サブピクセルとを含み、前記第２ピクセル単位は前記斜線に沿って配列された第３サブピクセルと第４サブピクセルとを含み、前記第１サブピクセルと前記第３サブピクセルは異なる基本色を備え、前記第２サブピクセルと前記第４サブピクセルは同一の基本色を備え、
前記第１サブピクセルは赤色サブピクセルであり、前記第３サブピクセルは青色サブピクセルであり、前記第２サブピクセルおよび前記第４サブピクセルの各々は緑色サブピクセルであり、
前記第２サブピクセルの面積は前記第４サブピクセルの面積と基本的に同一であり、前記第１サブピクセルの面積は前記第２サブピクセルの面積より大きく、前記第３サブピクセルの面積は前記第２サブピクセルの面積より大きく、
前記青色サブピクセル、前記赤色サブピクセルおよび前記緑色サブピクセルの形状は、角丸多角形状、楕円形および円形から選ばれ、
前記第１サブピクセルは第１対称軸を有し、第２サブピクセルは第２対称軸を有し、第３サブピクセルは第３対称軸を有し、第４サブピクセルは第４対称軸を有し、前記第１対称軸、前記第２対称軸、前記第３対称軸および前記第４対称軸は、同一方向に沿って延伸する、ピクセル構造。
【請求項２】
請求項１に記載のピクセル構造であって、前記赤色サブピクセルおよび前記青色サブピクセルの形状は角丸多角形状および円形から選ばれ、前記緑色サブピクセルの形状は角丸矩形および楕円形から選ばれる、ピクセル構造。
【請求項３】
請求項２に記載のピクセル構造であって、前記緑色サブピクセルの形状は第１接続線に対して対称であり、前記第１接続線は前記斜線に沿って配列された２つの隣り合う赤色サブピクセルの中心を接続し、前記緑色サブピクセルの形状は第２接続線に対しても対称であり、前記第２接続線は前記第１接続線に垂直であるとともに２つの隣り合う青色サブピクセルの中心を接続する、ピクセル構造。
【請求項４】
請求項３に記載のピクセル構造であって、前記緑色サブピクセルの前記第１接続線に沿ったサイズが前記緑色サブピクセルの前記第２接続線に沿ったサイズより大きい、ピクセル構造。
【請求項５】
請求項１に記載のピクセル構造であって、前記緑色サブピクセルの形状は、角丸ひし形、角丸八角形および角丸六角形から選ばれる、ピクセル構造。
【請求項６】
請求項４に記載のピクセル構造であって、前記緑色サブピクセルの形状はその２つの相対向する側に２つの端部を有し、前記２つの端部は前記第１接続線における２つの隣り合う赤色サブピクセルにそれぞれ近接し、前記２つの端部の各端部はそれが隣り合う赤色サブピクセルに近づくにつれ幅が小さくなる、ピクセル構造。
【請求項７】
請求項１に記載のピクセル構造であって、前記第１サブピクセルの面積は前記第３サブピクセルの面積と同様である、ピクセル構造。
【請求項８】
請求項１に記載のピクセル構造であって、前記第２サブピクセルまたは前記第４サブピクセルと隣り合う第１サブピクセルとの間の距離と、前記第２サブピクセルまたは前記第４サブピクセルと隣り合う第３サブピクセルとの距離の比率は０．８から１．２であり、
２つの隣り合うサブピクセルの間の距離は、２つの隣り合うサブピクセルの２つの最も近接する点をつなげた線分の長さとして定義される、ピクセル構造。
【請求項９】
請求項１に記載のピクセル構造であって、画像を表示するとき、前記第１ピクセル単位は、隣り合う複数の第２ピクセル単位に由来する複数の第３サブピクセルのうちの少なくとも一つの第３サブピクセルをさらに用いて三種類の基本色を表示し、前記第２ピクセル単位は、隣り合う複数の第１ピクセル単位に由来する複数の第１サブピクセルのうちの少なくとも一つの第１サブピクセルをさらに用いて三種類の基本色を表示する、ピクセル構造。
【請求項１０】
請求項１に記載のピクセル構造であって、前記斜線と前記行方向との間の角度は４５度である、ピクセル構造。
【請求項１１】
請求項８に記載のピクセル構造であって、前記第２サブピクセルまたは前記第４サブピクセルと隣り合う第１サブピクセルとの間の距離と、前記第２サブピクセルまたは前記第４サブピクセルと隣り合う第３サブピクセルとの距離は基本的に同一である、ピクセル構造。
【請求項１２】
請求項１に記載のピクセル構造であって、互いに隣り合う前記第１サブピクセルと前記第３サブピクセルとの間の距離は、互いに隣り合う前記第２サブピクセルと前記第４サブピクセルとの間の距離より小さく、
第１ピクセル単位における第１サブピクセルと４つの隣り合う第２ピクセル単位における各第３サブピクセルとの間の距離は基本的に同一であり、第２ピクセル単位における第３サブピクセルと４つの隣り合う第１ピクセル単位における各第１サブピクセルとの間の距離は基本的に同一である、ピクセル構造。
【請求項１３】
順に交互に配列された複数の第１ピクセル単位と複数の第２ピクセル単位とを含み、ピクセル構造の縁に位置する第１ピクセル単位および第２ピクセル単位のほか、各第１ピクセル単位は４つの第２ピクセル単位と隣り合い、各第２ピクセル単位は４つの第１ピクセル単位と隣り合い、第１ピクセル単位は斜線状に配列された第１サブピクセルと第２サブピクセルとを含み、第２ピクセル単位は斜線状に配列された第３サブピクセルと第４サブピクセルとを含むピクセル構造であって、第１サブピクセルと第３サブピクセルは異なる基本色を備え、第２サブピクセルと第４サブピクセルは同一の基本色を備え、
前記第１サブピクセルは赤色サブピクセルであり、前記第３サブピクセルは青色サブピクセルであり、前記第２サブピクセルおよび前記第４サブピクセルの各々は緑色サブピクセルであり、
前記第１ピクセル単位における第１サブピクセルおよび第２サブピクセルは、隣り合う２行および隣り合う２列に位置し、前記第２ピクセル単位における第３サブピクセルおよび第４サブピクセルは、隣り合う２行および隣り合う２列に位置し、これにより、前記第１サブピクセルおよび第３サブピクセルがそれぞれ行方向または列方向において順に交互に配列され、前記第２サブピクセルおよび第４サブピクセルがそれぞれ行方向または列方向において順に交互に配列され、
前記青色サブピクセル、前記赤色サブピクセルおよび前記緑色サブピクセルの形状は、角丸多角形状、楕円形および円形から選ばれ、
第１ピクセル単位における第１サブピクセルおよび第２サブピクセルはそれぞれ２本のデータ線に接続され、第２ピクセル単位における第３サブピクセルおよび第４サブピクセルはそれぞれ２本のデータ線に接続され、前記データ線はピクセル表示情報を受信するのに用いられる、ピクセル構造。
【請求項１４】
請求項１３に記載のピクセル構造であって、各列における第１サブピクセルおよび第３サブピクセルは第１データ線に接続され、各列における第２サブピクセルおよび第４サブピクセルは第２データ線に接続され、第１データ線および第２データ線は行方向において交互に配置される、ピクセル構造。
【請求項１５】
請求項１４に記載のピクセル構造であって、前記第１データ線により前記第１サブピクセルまたは前記第３サブピクセルに提供される第１データ信号には、前記第１ピクセル単位または前記第２ピクセル単位が必要とする前記第１サブピクセルまたは前記第３サブピクセルの理論的輝度値を示すデータ信号と、それが隣り合う、第１ピクセル単位または第２ピクセル単位のうちの少なくとも一つが必要とする前記第１サブピクセルまたは第３サブピクセルの理論的輝度値を示すデータ信号と、が含まれ、
第２データ線により第２サブピクセルまたは第４サブピクセルに提供される第２データ信号には、前記第１ピクセル単位または前記第２ピクセル単位が必要とする第２サブピクセルまたは第４サブピクセルの理論的輝度値を示すデータ信号が含まれる、ピクセル構造。
【請求項１６】
請求項１から１５のいずれか１項に記載のピクセル構造の表示方法であって、
ステップＳ１：ピクセル表示情報データ源の中から、前記第１ピクセル単位における前記第１サブピクセル、前記第２サブピクセルの基本色に対応する色の理論的輝度値を取得し、前記第２ピクセル単位における前記第３サブピクセル、前記第４サブピクセルの基本色に対応する色の理論的輝度値を取得し、
ステップＳ２：前記第１サブピクセル、前記第２サブピクセル、前記第３サブピクセル、前記第４サブピクセルの実際の輝度値を算出して得て、
ステップＳ３：第１データ線を介して、第１サブピクセルおよび第３サブピクセルの実際の輝度値を示す第１データ信号を第１サブピクセルおよび第３サブピクセルへ入力し、第２データ線を介して、第２サブピクセルおよび第４サブピクセルの実際の輝度値を示す第２データ信号を第２サブピクセルおよび第４サブピクセルへ入力することにより、画像表示を実現し、
前記理論的輝度値とは、所望の表示を実現するために、各ピクセル単位のピクセル表示情報に理論的に含まれる３つの基本色の輝度値を指し、
実際の輝度値とは、所望の表示を実現するために、各ピクセル単位へ実際に加える２つのサブピクセルの輝度値を指す、ステップを含むピクセル構造の表示方法。
【請求項１７】
請求項１６に記載のピクセル構造の表示方法であって、ステップＳ２において、前記第２サブピクセルと前記第４サブピクセルの実際の輝度値を、その基本色に対応する色の理論的輝度値に設定し、
前記第１サブピクセルの実際の輝度値を、前記第１ピクセル単位が必要とする前記第１サブピクセルに対応する基本色の理論的輝度値と、それが隣り合う、少なくとも一つの前記第２ピクセル単位が必要とする前記第１サブピクセルに対応する基本色の理論的輝度値との重み付け総和として設定し、
前記第３サブピクセルの実際の輝度値を、前記第２ピクセル単位が必要とする前記第３サブピクセルに対応する基本色の理論的輝度値と、それが隣り合う、少なくとも一つの前記第１ピクセル単位が必要とする前記第３サブピクセルに対応する基本色の理論的輝度値との重み付け総和として設定する、ピクセル構造の表示方法。
【請求項１８】
請求項１７に記載のピクセル構造の表示方法であって、前記第１ピクセル単位はＮ個の隣り合う前記第２ピクセル単位における前記第３サブピクセルを借用して表示し、前記第２ピクセル単位はＮ個の隣り合う前記第１ピクセル単位における前記第１サブピクセルを借用して表示し、これに応じて、ステップＳ２では、前記第１サブピクセルと前記第３サブピクセルの理論的輝度値の重み付け値をいずれも１／Ｎとし、Ｎ≧１である、ピクセル構造の表示方法。
【請求項１９】
請求項１８に記載のピクセル構造の表示方法であって、前記第１ピクセル単位は、当該第１ピクセル単位の第１サブピクセルおよび第２サブピクセルと、当該第１ピクセル単位の左側および右側から選ばれる第１側に位置する第２ピクセル単位の第３サブピクセルとに由来する三種類の基本色を混合することにより三種類の基本色を表示し、前記第２ピクセル単位は、当該第２ピクセル単位の第３サブピクセルおよび第４サブピクセルと、当該第２ピクセル単位の前記第１側と同一の側に位置する第１ピクセル単位の第１サブピクセルとに由来する三種類の基本色を混合することにより三種類の基本色を表示し、
ステップＳ２では、前記第１サブピクセルと前記第３サブピクセルの理論的輝度値の重み付け値をいずれも１／２とする、ピクセル構造の表示方法。
【請求項２０】
請求項１から１５のいずれか一項に記載のピクセル構造を含む表示装置。
【請求項２１】
請求項２０に記載の表示装置であって、前記表示装置は有機発光ダイオード表示装置か、もしくは液晶表示装置である表示装置。
【発明の詳細な説明】
【技術分野】
【０００１】
本発明は表示技術分野に属し、具体的にはピクセル構造と表示方法および当該ピクセル構造を含む表示装置に関するものである。
【背景技術】
【０００２】
従来技術におけるフラットパネル表示装置では、カラー表示スクリーンはピクセル単位によって画像表示を実現する。一般的な状況において、一つのピクセル単位には赤（Ｒ）、緑（Ｇ）、青（Ｂ）の三種類の異なる色のサブピクセルが含まれ、あるピクセル単位における三種類の色のＲＧＢサブピクセルの分量の大きさを制御すれば、当該ピクセル（各ピクセル毎に一つのピクセル単位に対応する）が表示する色彩と輝度を制御することが可能である。
【０００３】
図１Ａから図１Ｃが示すのは、従来技術のピクセル単位におけるＲＧＢサブピクセル配置の構造模式図であり、ストライプ配列（図１Ａを参照）、デルタ（ｄｅｌｔａ）配列（図１Ｂを参照）、モザイク（ｍｏｓａｉｃ）配列（図１Ｃを参照）の三つの方法が含まれる。そのうち、図１ＡではＲＧＢサブピクセルは順に配列されて行をなし、且つＲＧＢサブピクセルは各自配列されて列をなす。このような配列方法は列方向において一種類の色しかないため、色が均等でないという現象を引き起こしやすいことに加えて、色の縁の誤差が生じ、表示効果に影響を与える。一方、図１Ｂと図１Ｃにおける二種類の配列方法にも、ある方向上において色が均等でないという問題があり、また、解像度は高くない。
【０００４】
実際の応用においては、表示装置の１インチあたりの画素数（Ｐｉｘｅｌ  Ｐｅｒ  Ｉｎｃｈ、略称ＰＰＩ）を向上させることで表示装置の解像度を高めることができる。一方、ＰＰＩを向上させるという目的を達成するために、各ピクセルの面積をできるだけ減らしてピクセル間の距離を縮める必要がある。これに関連して、各ピクセルはいずれもサブピクセルから構成されるため、表示装置が高解像度の表示を実現するために多くのピクセルを必要とする場合、必要となるサブピクセルの数も多い。しかし、工程が益々精巧化すれば、工程の向上は限界に達することになる。
【０００５】
つまり、従来技術の表示装置には、一般的に以下のような技術課題が存在する。
１）表示装置の実際の表示解像度と当該表示装置の物理的解像度は同一である。やや高い表示解像度を得ようとするのであれば、サブピクセルの数を増やすことで表示装置の物理的解像度を高める必要があるが、先に述べた通り、工程の向上にも限度があるため、サブピクセルの数を一定量にまで増加した後、解像度をさらに向上させることは困難である。
【０００６】
２）表示装置におけるサブピクセルの数がやや多いため、データ線の数がやや多くなり、これによって表示装置の電力消費量が増し、表示装置の開口率が低下する（本分野における開口率とは、一般的にピクセル領域における発光領域の面積と表示領域における重複可能なピクセル単位の面積との比率を指す。開口率が高いほど、同様の表示輝度に達し、各ピクセル発光領域が必要とする輝度はより低くなり、発光領域の輝度の電流密度はより低くなる）。解像度がやや高いとき、サブピクセルの開口率は保持しにくいことから、製品の寿命、輝度などの特性に影響を与える。
【０００７】
３）表示装置におけるサブピクセルの数がやや多いことに加え、各サブピクセルの面積がやや小さいことから、表示装置の製造工程の難度が高くなり、コストが高い。有機エレクトロルミネッセンス（Ｏｒｇａｎｉｃ  Ｌｉｇｈｔ  Ｅｍｉｓｓｉｏｎ  Ｄｉｓｐｌａｙ、略称ＯＬＥＤ）を例にすると、トップエミッション型アクティブマトリクス式有機ダイオード（ＡＭＯＬＥＤ）パネルを制作する従来技術において、高精度金属マスク（Ｆｉｎｅ  Ｍｅｔａｌ  Ｍａｓｋ、略称ＦＭＭ）を用い蒸着してピクセルを配列する際、高精度金属マスクは通常最小開口について制限があるため、異なる色のサブピクセルは開口間距離の制限を受ける。よって、表示装置の製造工程が高精度金属マスク開口面積および蒸着工程の精度の制限を受けるのは避けられず、高解像度の表示機器を実現するのは困難である。
【０００８】
したがって、如何にして高解像度のピクセルの製造工程を実現するか、また如何にして高解像度を実現しつつサブピクセルの開口率を向上させ、良好な輝度レベルを取得し、且つ製品の寿命を延ばすかが本分野において以前から解決が急がれる技術課題である。
【発明の概要】
【発明が解決しようとする課題】
【０００９】
本発明が解決しようとする技術課題は、従来技術に存在する上記不備に対して、ピクセル構造およびその表示方法と当該ピクセル構造を含む表示装置を提供するというものであり、当該ピクセル構造は高解像度を実現するとともに、サブピクセルの開口率を高めることもでき、製造工程を簡略化するだけでなく好ましい輝度レベルを得られ、製品の寿命を延ばし、さらには表示過程において、それ自体が欠く基本色の重み付け値を設定することによって、色の縁の誤差および色の不均等という現象を回避することで、より優れた表示効果を実現する。
【課題を解決するための手段】
【００１０】
本発明の技術課題を解決するために採用する技術案は、順に交互に配列された第１ピクセル単位と第２ピクセル単位を含むピクセル構造であって、前記第１ピクセル単位は斜線状に配列された第１サブピクセルと第２サブピクセルとを含み、前記第２ピクセル単位は斜線状に配列された第３サブピクセルと第４サブピクセルとを含み、前記第１サブピクセルと前記第３サブピクセルは異なる基本色を備え、前記第２サブピクセルと前記第４サブピクセルは同一の基本色を備える。
【００１１】
好ましくは、前記第１ピクセル単位と前記第２ピクセル単位は行方向と列方向において交互に配列され、且つ隣り合う行の第１ピクセル単位と隣り合う行の第２ピクセル単位は行方向の配列において、いずれもピクセル単位一つ分ずれており、隣り合う列の第１ピクセル単位と隣り合う列の第２ピクセル単位は列方向の配列において、いずれもピクセル単位一つ分ずれている。
【００１２】
好ましくは、前記第１ピクセル単位における前記第１サブピクセルと前記第２サブピクセルは、隣り合う二行のサブピクセルおよび隣り合う二列のサブピクセルに設けられ、前記第２ピクセル単位における前記第３サブピクセルと前記第４サブピクセルは、隣り合う二行のサブピクセルおよび隣り合う二列のサブピクセルに設けられ、これにより前記第１サブピクセルと前記第３サブピクセルが行方向もしくは列方向においてそれぞれ順に交互に配列され、前記第２サブピクセルと前記第４サブピクセルが行方向もしくは列方向において順に交互に配列される。
【００１３】
好ましくは、前記第１サブピクセルと前記第３サブピクセルは奇数行奇数列に交互に設けられ、前記第２サブピクセルと第４サブピクセルは偶数行偶数列に交互に設けられるか、
もしくは、前記第１サブピクセルと前記第３サブピクセルは、奇数行偶数列に交互に設けられ、前記第２サブピクセルと第４サブピクセルは偶数行奇数列に交互に設けられるか、
もしくは、前記第１サブピクセルと前記第３サブピクセルは、偶数行奇数列に交互に設けられ、前記第２サブピクセルと第４サブピクセルは奇数行偶数列に交互に設けられるか、
もしくは、前記第１サブピクセルと前記第３サブピクセルは、偶数行偶数列に交互に設けられ、前記第２サブピクセルと第４サブピクセルは奇数行奇数列に交互に設けられる。
【００１４】
好ましくは、同一行もしくは同一列に位置する前記第１サブピクセルと前記第３サブピクセルの中心は同一の直線上に位置し、同一行もしくは同一列に位置する前記第２サブピクセルと前記第４サブピクセルの中心は同一の直線上に位置する。
【００１５】
好ましくは、前記第１サブピクセル、前記第２サブピクセル、前記第３サブピクセル、前記第４サブピクセルはいずれも均等に配置される。
【００１６】
好ましくは、同一列において、前記第１サブピクセルの中心は、前記第１サブピクセルに隣り合う二つの前記第３サブピクセルの中心接続線の中心線上に位置し、
同一行において、前記第１サブピクセルの中心は、前記第１サブピクセルに隣り合う二つの前記第３サブピクセルの中心接続線の中心線上に位置する。
【００１７】
好ましくは、同一列において、前記第３サブピクセルの中心は、前記第３サブピクセルに隣り合う二つの前記第１サブピクセルの中心接続線の中心線上に位置し、
同一行において、前記第３サブピクセルの中心は、前記第３サブピクセルに隣り合う二つの前記第１サブピクセルの中心接続線の中心線上に位置する。
【００１８】
好ましくは、前記第２サブピクセルもしくは前記第４サブピクセルは、前記第１サブピクセルもしくは前記第３サブピクセルの斜め４５度の方向に位置する。
【００１９】
好ましくは、前記第２サブピクセルと前記第４サブピクセルの面積は同じであり、前記第１サブピクセルの面積は前記第３サブピクセルの面積と同じで且つ前記第２サブピクセルの面積より大きい、もしくは、前記第２サブピクセルと前記第４サブピクセルの面積は同じであり、前記第３サブピクセルの面積は前記第１サブピクセルの面積より大きく、前記第１サブピクセルの面積は前記第２サブピクセルの面積より大きい。
【００２０】
好ましくは、隣り合う前記第１サブピクセルと前記第２サブピクセルとの間の距離は、隣り合う前記第３サブピクセルと前記第４サブピクセルとの間の距離に等しく、隣り合う前記第１サブピクセルと前記第３サブピクセルとの間の距離は、隣り合う前記第２サブピクセルと前記第４サブピクセルとの間の距離よりも短い。
【００２１】
好ましくは、基本色は赤、緑、青を含み、前記第１サブピクセルの基本色は赤、前記第３サブピクセルの基本色は青、前記第２サブピクセルと前記第４サブピクセルの基本色は緑である。
【００２２】
好ましくは、前記第１サブピクセル、前記第２サブピクセル、前記第３サブピクセル、前記第４サブピクセルの形状は対称軸を有する軸対称の図形であって、当該対称軸の延伸方向は行方向もしくは列方向に平行である。
【００２３】
好ましくは、前記第１サブピクセル、前記第２サブピクセル、前記第３サブピクセル、前記第４サブピクセルの形状は円形、三角形、四角形、五角形、六角形、八角形のうちの任意の一種類もしくは複数種類の組み合わせである。
【００２４】
好ましくは、前記第１サブピクセルと前記第３サブピクセルは四角形もしくは八角形であって、且つ前記第１サブピクセルと前記第３サブピクセルの形状は同一であり、前記第２サブピクセルと前記第４サブピクセルは四角形もしくは八角形であって、且つ前記第２サブピクセルと前記第４サブピクセルの形状は同一である。
【００２５】
好ましくは、前記第１ピクセル単位における前記第１サブピクセルと前記第２サブピクセルは一本のデータ線にそれぞれ接続され、前記第２ピクセル単位における前記第３サブピクセルと前記第４サブピクセルは一本のデータ線にそれぞれ接続され、前記データ線はピクセル表示情報の受信に用いられる。
【００２６】
好ましくは、上記のピクセル構造の表示方法であって、前記第１ピクセル単位は、少なくとも一つの、隣り合う前記第２ピクセル単位における前記第３サブピクセルを借用して表示し、また、前記第２ピクセル単位は、少なくとも一つの、隣り合う前記第１ピクセル単位における前記第１サブピクセルを借用して表示することで、前記第１ピクセル単位と第２ピクセル単位がいずれも三種類の基本色のサブピクセルのピクセル表示情報を表示できる。
【００２７】
好ましくは、
ステップＳ１：ピクセル表示情報データ源の中から、前記第１ピクセル単位における前記第１サブピクセル、前記第２サブピクセルの基本色に対応する色の理論的輝度値を取得し、前記第２ピクセル単位における前記第３サブピクセル、前記第４サブピクセルの基本色に対応する色の理論的輝度値を取得し、
ステップＳ２：前記第１サブピクセル、前記第２サブピクセル、前記第３サブピクセル、前記第４サブピクセルの実際の輝度値を算出して得て、
ステップＳ３：前記第１サブピクセル、前記第２サブピクセル、前記第３サブピクセル、前記第４サブピクセルへ実際の輝度値を入力して画像表示を実現する、ステップを含む。
【００２８】
好ましくは、ステップＳ２において、前記第２サブピクセルと前記第４サブピクセルの実際の輝度値を、その基本色に対応する色の理論的輝度値に設定し、
前記第１サブピクセルの実際の輝度値を、前記第１ピクセル単位が必要とする前記第１サブピクセルに対応する基本色の理論的輝度値と、それが隣り合う、少なくとも一つの前記第２ピクセル単位が必要とする、前記第１サブピクセルに対応する基本色の理論的輝度値との重み付け総和として設定し、
前記第３サブピクセルの実際の輝度値を、前記第２ピクセル単位が必要とする前記第３サブピクセルに対応する基本色の理論的輝度値と、それが隣り合う、少なくとも一つの前記第１ピクセル単位が必要とする、前記第３サブピクセルに対応する基本色の理論的輝度値との重み付け総和として設定する。
【００２９】
好ましくは、前記第１ピクセル単位はＮ個の隣り合う前記第２ピクセル単位における前記第３サブピクセルを借用して表示し、前記第２ピクセル単位はＮ個の隣り合う前記第１ピクセル単位における前記第１サブピクセルを借用して表示し、これに応じて、ステップＳ２では、前記第１サブピクセルと前記第３サブピクセルの理論的輝度値の重み付け値をいずれも１／Ｎとし、Ｎ≧１である。
【００３０】
好ましくは、前記第１ピクセル単位は一つの隣り合う前記第２ピクセル単位における前記第３サブピクセルを借用して表示し、前記第２ピクセル単位は一つの隣り合う前記第１ピクセル単位における前記第１サブピクセルを借用して表示し、これに応じて、ステップＳ２では、前記第１サブピクセルと前記第３サブピクセルの理論的輝度値の重み付け値をいずれも１／２とする。
【００３１】
上記ピクセル構造を含む表示装置である。
好ましくは、前記表示装置は有機発光ダイオード表示装置か、もしくは液晶表示装置である。
【００３２】
本発明の有益な効果は、本発明が提供するピクセル構造およびその表示方法では、ピクセルの配列方法を改善することでピクセル開口率を向上させており、これに伴いピクセル構造の輝度も向上させ、ピクセル解像度を向上させるとともに、上記ピクセル構造に対応する表示方法を設計することにより、正常な画像表示を実現できるだけでなく、従来技術のピクセル配列方法によって引き起こされる、色の縁の誤差および色の不均等という現象を回避することもでき、表示装置の表示効果を向上させ、従来技術における表示装置、特に有機発光表示装置では、製造工程上の問題によって解像度の向上が困難であるという問題を解決できるというものである。
【図面の簡単な説明】
【００３３】
【図１Ａ】従来技術におけるＲＧＢサブピクセルをストライプ配列した構造模式図である。
【図１Ｂ】従来技術におけるＲＧＢサブピクセルをデルタ配列した構造模式図である。
【図１Ｃ】従来技術におけるＲＧＢサブピクセルをモザイク配列した構造模式図である。
【図２Ａ】本発明実施例１のピクセル構造における各ピクセル単位の一つの配列方法の構造模式図である。
【図２Ｂ】本発明実施例１のピクセル構造における各ピクセル単位の別の配列方法の構造模式図である。
【図３】図２Ａのピクセル単位における各サブピクセルの位置関係の構造模式図である。
【図４Ａ】第１サブピクセルと第３サブピクセルを形成する共用のマスクの構造模式図である。
【図４Ｂ】第２サブピクセルと第４サブピクセルを形成する共用のマスクの構造模式図である。
【図５】本実施例２におけるピクセル構造の第１ピクセル単位と第２ピクセル単位が、隣り合う欠く基本色のサブピクセルを借用して実現するＲＧＢ三原色表示の模式図である。
【発明を実施するための形態】
【００３４】
当業者が本発明の技術案をよりよく理解できるように、以下では図面と具体的な実施の形態を組み合わせて、本発明のピクセル構造およびその表示方法と当該ピクセル構造を含む表示装置についてさらに詳細に述べる。
【００３５】
本発明の技術思想は、赤緑青の三原色を用いて混色し複数の色を形成することで画像表示を実現すること、および色に対して感度が異なるという人の眼の特性を利用して、従来技術における、同一のピクセル単位に設けられた赤緑青の三原色を隣り合う二つのピクセル単位に分散設定し、また、ピクセル単位の配列方法を調整し、当該ピクセル構造における隣り合うピクセル単位が、表示過程において、隣り合うピクセル単位の、自身が欠く基本色を互いに借用するようにして赤緑青三原色の表示を実現することで、異なる色の画像表示を実現し、且つ好ましい色彩均等度を得るということである。
【００３６】
ピクセル構造は、順に交互に配列された第１ピクセル単位と第２ピクセル単位を含み、第１ピクセル単位は斜線状に配列された第１サブピクセルと第２サブピクセルとを含み、第２ピクセル単位は斜線状に配列された第３サブピクセルと第４サブピクセルとを含み、第１サブピクセルと第３サブピクセルは異なる基本色を備え、第２サブピクセルと第４サブピクセルは同一の基本色を備える。
【００３７】
このようなピクセル構造は高解像度を実現するとともに、サブピクセルの開口率を高めることもでき、製造工程を簡略化するだけでなく好ましい輝度レベルを得られ、製品の寿命を延ばし、さらには表示過程において、それ自体が欠く基本色の重み付け値の設定によって、色の縁の誤差および色の不均等という現象を回避することで、より優れた表示効果を実現する。
【００３８】
実施例１
本実施例では、図２Ａと図２Ｂに示すようなピクセル構造を提供し、当該ピクセル構造は、順に交互に配列された第１ピクセル単位１と第２ピクセル単位２を含み、第１ピクセル単位１は斜線状に配列された第１サブピクセル１１と第２サブピクセル１２とを含み、第２ピクセル単位２は斜線状に配列された第３サブピクセル２１と第４サブピクセル２２とを含み、第１サブピクセル１１と第３サブピクセル２１は異なる基本色を備え、第２サブピクセル１２と第４サブピクセル２２は同一の基本色を備える。
【００３９】
本実施例では、第１サブピクセル１１の基本色は赤、第３サブピクセル２１の基本色は青、第２サブピクセル１２と第４サブピクセル２２の基本色は緑である。基本色が指すのは、当該サブピクセル構造自体が備える、彩色表示を実現できる色であって、例えば、有機エレクトロルミネッセンスにおけるピクセル構造について言えば、当該基本色が指すのは有機エレクトロダイオードにおける発光層の色であって、つまり、正常な加圧状態において当該発光層が発光可能な相応の色である。液晶表示装置におけるピクセル構造について言えば、当該基本色が指すのはカラーフィルムにおけるカラーフィルタ（Ｃｏｌｏｒ  Ｆｉｌｔｅｒ、略称ＣＦ）の色であって、つまり、バックライトにおける光線が当該カラーフィルムを透過した後に得られる相応の色である。一般的に基本色には赤、緑、青が含まれる。本実施例において、サブピクセルの基本色は、赤、緑、青の三原色の中から任意の一色を選択して用いることができる。
【００４０】
図２Ａ、図２Ｂが示すのは、本実施例における第１ピクセル単位１と第２ピクセル単位２が交互に配列された形式であって、各列において隣り合う第１ピクセル単位１と第２ピクセル単位２のサブピクセルが斜線状に配列される方向は、互いに平行であってよく（図２Ａに示す通りである）もしくは互いに交差し、さらに垂直であってもよい（図２Ｂに示す通りである）。
【００４１】
上記ピクセル構造において、第１ピクセル単位１と第２ピクセル単位２は行方向と列方向において交互に配列される。具体的には、第１ピクセル単位１と第２ピクセル単位２は行方向と列方向において交互に配列される。隣り合う行のピクセル単位において、第１ピクセル単位１と第２ピクセル単位２は行方向の配列においてピクセル単位一つ分ずれている。隣り合う列のピクセル単位において、第１ピクセル単位１と第２ピクセル単位２は列方向の配列においてピクセル単位一つ分ずれている。そのうち、前記ピクセル単位は第１ピクセル単位１もしくは第２ピクセル単位２を含む。
【００４２】
上記交差した配列構造によれば、隣り合うピクセル単位の行における第１ピクセル単位１と第２ピクセル単位２の配列順序は異なり、隣り合うピクセル単位の列における第１ピクセル単位１と第２ピクセル単位２の配列順序も異なる。図２Ａと図２Ｂに示すように、各第１ピクセル単位は破線の枠で示され、隣り合う行のピクセル単位のうちの一行における第１ピクセル単位１と第２ピクセル単位２の配列順は、第１ピクセル単位１、第２ピクセル単位２、第１ピクセル単位１、第２ピクセル単位２……であり、別の一行における第１ピクセル単位１と第２ピクセル単位２の配列順は、第２ピクセル単位２、第１ピクセル単位１、第２ピクセル単位２、第１ピクセル単位１……である。隣り合う列のピクセル単位のうちの一列における第１ピクセル単位１と第２ピクセル単位２の配列順は、第１ピクセル単位１、第２ピクセル単位２、第１ピクセル単位１、第２ピクセル単位２……であり、別の一列における第１ピクセル単位１と第２ピクセル単位２の配列順は、第２ピクセル単位２、第１ピクセル単位１、第２ピクセル単位２、第１ピクセル単位１……である。
【００４３】
各ピクセル単位のサブピクセルの配列順については、図２Ａと図２Ｂで示すように、第１ピクセル単位１における第１サブピクセル１１と第２サブピクセル１２は、隣り合う二行のサブピクセルおよび隣り合う二列のサブピクセルに設けられ、第２ピクセル単位２における第３サブピクセル２１と第４サブピクセル２２は、隣り合う二行のサブピクセルおよび隣り合う二列のサブピクセルに設けられ、これにより第１サブピクセル１１と第３サブピクセル２１が行方向もしくは列方向においてそれぞれ順に交互に配列され、第２サブピクセル１２と第４サブピクセル２２が行方向もしくは列方向において順に交互に配列される。つまり、第２サブピクセル１２と第４サブピクセル２２は同一の行もしくは列に設けられる。
【００４４】
具体的な配列方法においては、第１サブピクセル１１と第３サブピクセル２１が奇数行もしくは偶数行に交互に設けられるのであれば、第２サブピクセル１２と第４サブピクセル２２は、これに応じて偶数行もしくは奇数行に交互に設けられ、同様に、第１サブピクセル１１と第３サブピクセル２１が奇数列もしくは偶数列に交互に設けられるのであれば、第２サブピクセル１２と第４サブピクセル２２は、これに応じて偶数列もしくは奇数列に交互に設けられる。具体的には、第１サブピクセル１１と第３サブピクセル２１は奇数行奇数列に交互に設けられ、第２サブピクセル１２と第４サブピクセル２２は偶数行偶数列に交互に設けられるか、もしくは、第１サブピクセル１１と第３サブピクセル２１は、奇数行偶数列に交互に設けられ、第２サブピクセル１２と第４サブピクセル２２は偶数行奇数列に交互に設けられるか、もしくは、第１サブピクセル１１と第３サブピクセル２１は、偶数行奇数列に交互に設けられ、第２サブピクセル１２と第４サブピクセル２２は奇数行偶数列に交互に設けられるか、もしくは、第１サブピクセル１１と前記第３サブピクセル２１は、偶数行偶数列に交互に設けられ、第２サブピクセル１２と第４サブピクセル２２は奇数行奇数列に交互に設けられる、という配列構造を含む。なお、第１サブピクセル１１と第３サブピクセル２１は奇数行偶数列に交互に設けられ、第２サブピクセル１２と第４サブピクセル２２は偶数行奇数列に交互に設けられるか、もしくは、第１サブピクセル１１と第３サブピクセル２１は、偶数行奇数列に交互に設けられ、第２サブピクセル１２と第４サブピクセル２２は奇数行偶数列に交互に設けられるという方式について、縁には、一行単独のサブピクセルもしくは一列単独のサブピクセルができる可能性があるため、当該サブピクセルはそれと隣り合う第１ピクセル単位１もしくは第２ピクセル単位２と共同で、三つのサブピクセルを含むピクセル単位を一つ構成して表示してもよく、または、隣り合う第１ピクセル単位１もしくは第２ピクセル単位２のうちの二つのサブピクセルを借用して表示してもよく、境界処理算出方法によって良好な表示効果を実現できるが、ここでは限定しない。
【００４５】
図２Ａと図２Ｂに示すように、隣り合う行のサブピクセルにおいて、そのうちの一行における第１サブピクセル１１と第３サブピクセル２１は交互に配列され、別の一行におけるサブピクセルの配列順は第２サブピクセル１２と第４サブピクセル２２が交互に配列されるというものである。これに応じて、隣り合う列のサブピクセルにおいて、そのうちの一列における第１サブピクセル１１と第３サブピクセル２１は交互に配列され、別の一列におけるサブピクセルの配列順は第２サブピクセル１２と第４サブピクセル２２が交互に配列されるというものである。実際の応用では、表示パネルのアスペクト比、長さ、幅などの実際の状況に応じて柔軟に設定することができる。
【００４６】
図２Ａにおけるピクセル構造を例にすると、図３における破線で示すように（第１サブピクセル１１、第２サブピクセル１２、第３サブピクセル２１、第４サブピクセル２２はいずれも図２Ａと同一であり、ここでは具体的に表示しない）、同一行もしくは同一列に位置する第１サブピクセル１１と第３サブピクセル２１の中心は同一の直線上に位置し、同一行もしくは同一列に位置する第２サブピクセル１２と第４サブピクセル２２の中心は同一の直線上に位置し、これにより当該ピクセル構造の製造工程が簡略化される。
【００４７】
表示効果の均等性を保証するために、第１サブピクセル１１、第２サブピクセル１２、第３サブピクセル２１、第４サブピクセル２２は均等に配置される。このような構造を基にすれば、表示パネル全体における赤、緑、青の各サブピクセルの均等分布を実現できるため、より高品質の画面表示を実現できる。
【００４８】
これに対応して、図３に示すように、同一列において、第１サブピクセル１１の中心は、当該第１サブピクセル１１に隣り合う二つの第３サブピクセル２１の中心接続線の中心線上に位置し、また、同一行において、第１サブピクセル１１の中心も、当該第１サブピクセル１１に隣り合う二つの第３サブピクセル２１の中心接続線の中心線上に位置する。同様に、同一列において、第３サブピクセル２１の中心は、当該第３サブピクセル２１に隣り合う二つの第１サブピクセル１１の中心接続線の中心線上に位置し、また、同一行において、第３サブピクセル２１の中心も、当該第３サブピクセル２１に隣り合う二つの第１サブピクセル１１の中心接続線の中心線上に位置する。
【００４９】
このほか、図３に示すように、第２サブピクセル１２もしくは第４サブピクセル２２は、第１サブピクセル１１もしくは第３サブピクセル２１の斜め４５度の方向に位置する。つまり、隣り合うピクセル単位において、第２サブピクセル１２は第１サブピクセル１１もしくは第３サブピクセル２１の斜め４５度方向にそれぞれ位置し、例えば左上４５度の方向、右上４５度の方向、左下４５度の方向、右下４５度の方向のいずれでもよい。図２Ａでは、第２サブピクセル１２が第１サブピクセル１１の右下４５度の方向に位置することを示す。
【００５０】
本実施例では、第１サブピクセル１１は赤サブピクセルであり、第２サブピクセル１２は緑サブピクセルであり、第３サブピクセル２１は青サブピクセルであり、第４サブピクセル２２は緑サブピクセルである。各サブピクセルの面積の設定において、好ましい方法の一つは、第２サブピクセル１２と第４サブピクセル２２の面積は同じであり、第１サブピクセル１１の面積と第３サブピクセル２１の面積は同じで且つ第２サブピクセル１２の面積より大きいというものである。本実施例では、人の目は緑色に対してより敏感であることから、第２サブピクセル１２と第４サブピクセル２２の面積は、第１サブピクセル１１と第３サブピクセル２１の面積に比べて、さらに小さく設定することができる。
【００５１】
別の好ましい方法は、第３サブピクセル２１の面積が第１サブピクセル１１の面積より大きく、第１サブピクセル１１の面積が第２サブピクセル１２の面積よりも大きいというものである。特に、有機発光ダイオード表示部品について言えば、青の発光材料は赤と緑に比べ、一般的に発光効率が最も低く且つ寿命が最も短いため、青サブピクセルの面積は赤サブピクセルの面積と緑サブピクセルの面積よりも大きくてよい。このほか、緑発光材料は効率が最も高いため、緑サブピクセルの面積は最も小さくてよい。
【００５２】
本実施例では、当該ピクセル構造はＲＧＢＧもしくはＧＲＧＢもしくはＢＲＧＲの形式であってよく、これにより表示パネルが表示する画像色彩をより豊かにすることができる。
【００５３】
本実施例では、隣り合う第１サブピクセル１１と第２サブピクセル１２との間の距離は、隣り合う第３サブピクセル２１と第４サブピクセル２２との間の距離に等しく、隣り合う第１サブピクセル１１と第３サブピクセル２１との間の距離は、隣り合う第２サブピクセル１２と第４サブピクセル２２との間の距離よりも短い。
【００５４】
図３に示す通り、隣り合うサブピクセルが最も接近する二つの点の間を繋ぐ線をサブピクセル間の距離とすると、第１サブピクセル１１と第２サブピクセル１２との間の距離ｄ１は、第３サブピクセル２１と第４サブピクセル２２との間の距離ｄ２と等しく、さらに、表示スクリーンの縁の、完全な二つのピクセル単位を構成していないサブピクセルについて、例えば、ちょうど三原色を備える三つのサブピクセルに関して言えば、第１サブピクセル１１と第３サブピクセル２１との間の距離ｄ７は、第１サブピクセル１１と第２サブピクセル１２との間の距離ｄ１とも等しくてよく、これによりピクセル構造の製造工程が簡略化される。
【００５５】
また、隣り合う二つの第２サブピクセル１２の間の距離ｄ３は、隣り合う二つの第４サブピクセル２２の間の距離ｄ４と等しく、且つ隣り合う二つの第１サブピクセル１１の間の距離ｄ５および隣り合う二つの第３サブピクセル２１の間の距離ｄ６よりも短く、隣り合う第１サブピクセル１１と第３サブピクセル２１との間の距離ｄ７は、隣り合う第２サブピクセル１２と第４サブピクセル２２との間の距離ｄ８よりも短い。
【００５６】
ここで理解すべきなのは、複数のサブピクセルが形成する表示スクリーン精度を保証するために、各サブピクセル間の距離は必要に応じて柔軟に設計することができるという点である。
【００５７】
本実施例では、第１サブピクセル１１、第２サブピクセル１２、第３サブピクセル２１、第４サブピクセル２２の形状は、対称軸を有する軸対称の図形であり、当該対称軸の延伸方向は、サブピクセルが配列される行方向もしくは列方向に平行であるため、当該ピクセル構造における各ピクセル単位はサブピクセル図形の対称軸に沿って配列された構造を形成する。したがって、高精度金属マスクＦＭＭを用いてピクセル構造を形成する際、製造過程では、通常、行方向もしくは列方向に沿って高精度金属マスクＦＭＭを引き伸ばすが、サブピクセル図形の対称軸は行方向もしくは列方向に沿って配列されるため、高精度金属マスクＦＭＭの引き伸ばし工程によってサブピクセル形状に変化が生じることはなく、ピクセル構造における各サブピクセルの正確な位置を保証することができる。
【００５８】
具体的には、第１サブピクセル１１、第２サブピクセル１２、第３サブピクセル２１、第４サブピクセル２２の形状は円形、三角形、四角形、五角形、六角形、八角形のうちの任意の一種類もしくは複数種類の組み合わせであり、例えば、第１サブピクセル１１、第２サブピクセル１２、第３サブピクセル２１、第４サブピクセル２２はいずれも四角形もしくは八角形であってよく、または、第１サブピクセル１１、第３サブピクセル２１は八角形で、第２サブピクセル１２、第４サブピクセル２２は四角形であるなど、実際の設計の必要に応じて決めることができる。特別な例としては、上記サブピクセルをいずれも菱形もしくは方形の形状とし、且つサブピクセル形状の対称軸は、斜めになった対角線を選択することができるというものであって、第１サブピクセル１１、第２サブピクセル１２、第３サブピクセル２１、第４サブピクセル２２がサブピクセル形状の斜めになった対角線に沿って配列される。
【００５９】
実際の応用では、表示パネルの応用場面もしくは顧客が求める表示効果など実際の状況に応じて柔軟に設定することができる。例えば、各サブピクセルは図２Ａもしくは図２Ｂに示すように四角形に設計してもよく、表示パネル配線およびマスク（ｍａｓｋ）制作工程を考慮して、各サブピクセルを八角形に設計してもよい（例えば、図２Ａもしくは図２Ｂにおける四角形のサブピクセルを、四つの角を切り落として八角形にする）。もちろん、例えば六角形、円形、三角形、五角形などのその他の形状にしてもよい。
【００６０】
好ましくは、第１サブピクセル１１と第３サブピクセル２１は四角形もしくは八角形であって、且つ第１サブピクセル１１と第３サブピクセル２１の形状は同一であり、第２サブピクセル１２と第４サブピクセル２２は四角形もしくは八角形であって、且つ第２サブピクセル１２と第４サブピクセル２２の形状は同一であり、これによってマスク（ｍａｓｋ）が製作しやすくなる。
【００６１】
これを基に、第１ピクセル単位１と第２ピクセル単位２は有機発光ダイオード表示部品もしくは液晶表示部品を備え、つまり、本実施例におけるピクセル構造は、有機発光ダイオード表示部品に適用できるだけでなく、ＬＣＤ表示部品にも適用でき、当然ながら、ピクセル構造を備える、デジタルカメラ、プラズマ表示部品などのその他の部品にも用いることができる。
【００６２】
第１サブピクセル１１、第２サブピクセル１２、第３サブピクセル２１、第４サブピクセル２２は構図工程を用いて形成され、上記第１サブピクセル１１の面積は第３サブピクセル２１の面積と同じで、且つ第２サブピクセル１２の面積より大きいという構造について、第１サブピクセル１１と第３サブピクセル２１は一枚のマスクを共用して、二回の構図工程にて形成されるのに対し、第２ピクセル単位と第４サブピクセル２２は一枚のマスクを共用して、一回の構図工程にて形成される。第１サブピクセル１１と第３サブピクセル２１の面積を同じに設定する場合、赤サブピクセルと青サブピクセルを製作する際に、一枚のマスクを共用できるため、マスクが行方向もしくは列方向に平行移動する一行／列分のサブピクセルの距離だけあればよい。
【００６３】
ここでは、構図工程として、フォトエッチングのみを含むか、もしくはフォトエッチングおよびエッチングのステップを含み、また、プリント、インクジェットなど、所定の図形を形成するためのその他の工程を含んでもよい。フォトエッチングとはフィルム形成、露光、現像など、工程過程において、フォトレジスト、マスク、露光機などを利用して図形を形成する工程であって、本発明にて形成する構造に応じて、対応する構図工程を選択することができる。
【００６４】
この際、従来のストライプ配列方法で使用される高精度の金属マスクＦＭＭに比べて、緑サブピクセルが使用するマスクの開口距離は広がる。さらに、有機発光ダイオード表示部品に使用する際、ピクセル間の距離は行もしくは列方向から対角線方向に変位するため、サブピクセル間の距離が広がり、マスク工程に有利である。図４Ａに示すように、そのうちの図形部分は赤サブピクセルの製作に使用されるマスクの開口領域として設定され、その開口間距離は、従来のストライプ配列方法で使用されるＦＭＭの開口間の距離よりもはるかに大きい。図４Ｂに示すように、そのうちの図形部分は緑サブピクセルの製作に使用されるマスクの開口領域として設定され、その開口間距離は、従来のストライプ配列方法で使用されるＦＭＭの開口間の距離よりもはるかに大きい。ここで理解すべきなのは、図４Ａと図４Ｂに設けた縦横に交差する横線と縦線は、各サブピクセルに対応する開口領域の位置と距離を観察しやすくするためのものであって、実際のマスクには存在しないという点である。
【００６５】
このことから分かるように、赤サブピクセル、青サブピクセル、緑サブピクセルのいずれであれ、マスクの開口距離が広がるため、ＦＭＭ設計と有機層蒸着工程に非常に有利であって、高解像度をより容易に実現できる。よって、従来技術における、三つのサブピクセルで一つのピクセル単位を実現するというピクセル構造に比べ、当該ピクセル構造は製造工程を大幅に簡略化でき、ＦＭＭ工程をより容易に実現できる。
【００６６】
また、本実施例のピクセル構造では、各ピクセル単位が二つのサブピクセルだけで構成されるため、各サブピクセルは一本のデータ線（従来技術と同様に、データ線によってピクセル情報を受信する）にそれぞれ接続される。つまり、第１ピクセル単位１における第１サブピクセル１１と第２サブピクセル１２は二本のデータ線（図２Ａと図２Ｂではいずれも図示していない）にそれぞれ接続され、第２ピクセル単位２における第３サブピクセル２１と第４サブピクセル２２は二本のデータ線にそれぞれ接続される。したがって、同一のピクセル単位を備える場合、従来技術との比較において、本実施例ではデータ線の数がより少ないため、表示装置の消費電力量が低減し、表示装置の開口率が向上し、表示装置におけるピクセル構造の輝度も相応に向上している。
【００６７】
実施例２
本実施例では、実施例１のピクセル構造に対応する表示方法を提供する。当該ピクセル構造は二つのサブピクセルを用いて一つのピクセル単位を形成し、ピクセルシェア算出方法を組み合わせて、より高解像度の画像表示を実現できる。
本実施例において、第１ピクセル単位１は、少なくとも一つの、隣り合う第２ピクセル単位２における第３サブピクセル２１を借用して表示し、また、第２ピクセル単位２は、少なくとも一つの、隣り合う第１ピクセル単位１における第１サブピクセル１１を借用して表示することで、第１ピクセル単位１と第２ピクセル単位がいずれも三種類の基本色のサブピクセルのピクセル表示情報を表示できる。
【００６８】
表示の際、第１ピクセル単位１は赤サブピクセルと緑サブピクセルとを備え、隣り合う第２ピクセル単位２における青サブピクセルを借用しＲＧＢ三原色の表示を実現する。同様に第２ピクセル単位２は青サブピクセルと緑サブピクセルとを備え、隣り合う第１ピクセル単位１における赤サブピクセルを借用しＲＧＢ三原色の表示を実現する。具体的な借用原則は、図５に示すように、各ピクセル単位がその任意の一方側の隣り合うピクセル単位における、自身が欠く色のサブピクセルを借用できるというものである。例えば、その右側もしくは左側の隣り合うピクセル単位のサブピクセルもしくはその上方または下方の隣り合うピクセル単位のサブピクセルを借用する。また、同時に複数のサブピクセルを借用することも、一つのサブピクセルだけを借用することもできるが、これについては限定しない。
【００６９】
画像表示の過程では、まず一つのピクセル表示情報データ源を提供し、赤緑青の色情報を備えたピクセルデータを各第１ピクセル単位１と第２ピクセル単位２へ入力する。当該ピクセル構造の表示方法は以下のステップを含む。
【００７０】
ステップＳ１：ピクセル表示情報データ源の中から、第１ピクセル単位１における第１サブピクセル１１、第２サブピクセル１２の基本色に対応する色の理論的輝度値を取得し、第２ピクセル単位２における第３サブピクセル２１、第４サブピクセル２２の基本色に対応する色の理論的輝度値を取得する。
【００７１】
当該ステップにおいては、表示パネル駆動チップの作動原理に基づき、ピクセルデータを色分解・引き伸ばし校正して三原色を得た後、さらにアレイ変換を経て輝度信号を得るが、当該輝度信号は、三原色に対応する色の理論的輝度値である。当該部分の処理は従来技術における如何なる輝度分離処理方法を用いてもよいため、ここでは詳述しない。
【００７２】
ステップＳ２：第１サブピクセル１１、第２サブピクセル１２、第３サブピクセル２１、第４サブピクセル２２の実際の輝度値を算出して得る。
【００７３】
簡潔に述べれば、赤サブピクセルの輝度値の算出を例にすると、第１ピクセル単位１における第１サブピクセル１１の実際の輝度値は、当該ピクセル単位が表示しようとする赤の理論的輝度値と、それが隣り合う行もしくは列の少なくとも一つの第２ピクセル単位２が表示しようとする赤の理論的輝度値を重み付け処理して得たものである。第２ピクセル単位２における第３サブピクセル２１の実際の輝度値の算出方法もこれと同様である。
【００７４】
具体的には、当該ステップでは、第２サブピクセル１２と第４サブピクセル２２の実際の輝度値を、その基本色に対応する色の理論的輝度値に設定し、
第１サブピクセル１１の実際の輝度値を、第１ピクセル単位１が必要とする第１サブピクセル１１に対応する基本色の理論的輝度値と、それが隣り合う、少なくとも一つの第２ピクセル単位２が必要とする、第１サブピクセル１１に対応する基本色の理論的輝度値との重み付け総和として設定し、
第３サブピクセル２１の実際の輝度値を、第２ピクセル単位２が必要とする第３サブピクセル２１に対応する基本色の理論的輝度値と、それが隣り合う、少なくとも一つの第１ピクセル単位１が必要とする、第３サブピクセル２１に対応する基本色の理論的輝度値との重み付け総和として設定する。
【００７５】
例えば、第１ピクセル単位１はＮ個の隣り合う第２ピクセル単位２における第３サブピクセル２１を借用して、当該第１ピクセル単位１が欠く基本色のサブピクセルを表示し、第２ピクセル単位２はＮ個の隣り合う第１ピクセル単位１における第１サブピクセル１１を借用して、当該第２ピクセル単位２が欠く基本色のサブピクセルを表示することで、赤緑青の三原色の表示を実現する。これに応じて、当該ステップでは、第１サブピクセル１１と第３サブピクセル２１の理論的輝度値の重み付け値をいずれも１／Ｎとし、Ｎ≧１である。ここで理解すべきなのは、ピクセルデータが対応する画像の画面の全体的な効果（例えば、くっきりもしくぼんやり）に基づき、適切な重み付け総和を得るために、重み付け値を適宜調整することができるという点である。
【００７６】
好ましい簡単な方法は、第１ピクセル単位１が隣り合う第２ピクセル単位２における第３サブピクセル２１を借用して表示し、第２ピクセル単位２が隣り合う第１ピクセル単位１における第１サブピクセル１１を借用して表示するというものである。これに応じて、当該ステップでは、第１サブピクセル１１と第３サブピクセル２１の理論的輝度値の重み付けの値をいずれも１／２とする。
【００７７】
本実施例では、実際のサブピクセルの最終的な実際の輝度値は、それが属するピクセル単位における自身の基本色の理論的輝度値およびそれが借用する隣り合うピクセル単位において同一の基本色を有するサブピクセルの理論的輝度値と、各自の重み付け値をそれぞれ乗算して得られた積の和である。例えば、そのうち一つのピクセル単位が隣り合う二つのピクセル単位を借用するとき、上記重み付け値と重み付け値総和の関係は、Ｈ＝Ａｘ＋Ｂｙ＋Ｃｚで、Ａ、Ｂ、Ｃはそれぞれ上記三つのピクセル単位において同一の基本色を有するサブピクセルの重み付け値であって、各重み付け値はＡ＋Ｂ＋Ｃ＝１の関係を満たす。Ｈは当該基本色サブピクセルの実際の輝度値、即ち重み付け総和である。
【００７８】
各ピクセル単位がその右側の隣り合うピクセル単位における、自身が欠く基本色のサブピクセルを借用することができることを例にすると、各赤サブピクセルと各青サブピクセルは二つのピクセル単位の表示に用いられ、それが入力するデータ信号は二つのサブピクセル信号の重み付けの重畳であり、例えば青サブピクセルを例にすると、その入力信号はそれが属するピクセル単位における青サブピクセルの信号と、隣り合う第２ピクセル単位２における正常表示に必要な青サブピクセルの信号との和であり、例えば各自１／２を占めるようにすることができる。
【００７９】
ステップＳ３：第１サブピクセル１１、第２サブピクセル１２、第３サブピクセル２１、第４サブピクセル２２へ実際の輝度値を入力して赤緑青の三原色表示を実現することで、画像表示を実現する。
【００８０】
当該ステップでは、ステップＳ２にて得られた各サブピクセルの実際の輝度値を、第１サブピクセル１１、第２サブピクセル１２、第３サブピクセル２１、第４サブピクセル２２へ出力して画像表示を実現する。
【００８１】
実施例１におけるピクセル構造が例示するように、各サブピクセルは一本のデータ線にそれぞれ接続され、当該ステップにおいて第１サブピクセル１１、第２サブピクセル１２、第３サブピクセル２１、第４サブピクセル２２と接続するデータ線が、ステップＳ２で得られた各サブピクセルの実際の輝度値をそれぞれ出力する。もちろん、ステップＳ２での算出によって得られた各サブピクセルの実際の輝度値に基づき、処理手段もしくはデータ変換モジュールによって、対応するピクセル単位における三つの基本色の理論的輝度値を、対応するピクセル単位における二つのサブピクセルの実際の輝度値に予め変換して、二本のデータ線によって一つのピクセル単位に接続してもよいが、具体的なデータ変換過程についてはここでは詳述しない。
【００８２】
当該ピクセル構造を用いた表示方法では、二つのサブピクセルだけを含むピクセル単位を利用し、簡単なピクセルシェア算出方法によって、二つのサブピクセルを有するピクセル単位を実現し三原色の表示を実現する。
【００８３】
実施例３
本実施例では、実施例１におけるピクセル構造および実施例２におけるピクセル構造の表示方法を用いた表示装置を提供する。
【００８４】
当該表示装置は、液晶パネル、電子ペーパー、ＯＬＥＤパネル、携帯電話、タブレットパソコン、テレビ、ディスプレイ、ノートパソコン、デジタルフォトフレーム、ナビゲーションなど、表示機能を備えた如何なる製品もしくは部品であってもよい。
【００８５】
当該表示装置は、そのピクセル構造が、有機層の蒸着工程を非常に行いやすいものであるため、歩留まりが高く、さらに、当該表示装置は、そのピクセル構造がより高い輝度と彩色均等度を備えるため、好ましい表示効果を有する。
【００８６】
本発明が提供するピクセル構造およびその表示方法では、ピクセルの配列方法を改善することでピクセル開口率を向上させており、これに伴いピクセル構造の輝度も向上させ、ピクセル解像度を向上させるとともに、上記ピクセル構造に対応する表示方法を設計することにより、正常な画像表示を実現できるだけでなく、従来技術のピクセル配列方法によって引き起こされる、色の縁の誤差および色の不均等という現象を回避することもでき、表示装置の表示効果を向上させ、従来技術における表示装置、特に有機発光表示装置では、製造工程上の問題によって解像度の向上が困難であるという問題を解決できる。
【００８７】
以上の実施の形態は、本発明の原理を説明するために用いた例示的なものに過ぎず、本発明はこれに限定されない。本発明の精神と本質を逸脱しない範囲内で、当業者は各種の変形と改善をなすことができ、これらの変形と改善も本発明の請求範囲として見なされる。
【符号の説明】
【００８８】
１  第１ピクセル単位
１１  第１サブピクセル
１２  第２サブピクセル
２  第２ピクセル単位
２１  第３サブピクセル
２２  第４サブピクセル
【図１Ａ】
2020197752.tif 000003
【図１Ｂ】
2020197752.tif 000004
【図１Ｃ】
2020197752.tif 000005
【図２Ａ】
2020197752.tif 000006
【図２Ｂ】
2020197752.tif 000007
【図３】
2020197752.tif 000008
【図４Ａ】
2020197752.tif 000009
【図４Ｂ】
2020197752.tif 000010
【図５】
2020197752.tif 000011
【外国語明細書】
2020197752000001.pdf